【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
マルチビュービデオ符号化のための装置であって、
マルチビュービデオコンテンツの少なくとも２つのビューのうちの少なくとも１つに対応する少なくとも１つのピクチャを符号化して、結果として得られるビットストリームを形成するエンコーダを有し、
前記結果として得られるビットストリームでは、前記少なくとも１つのピクチャのコーディングオーダ情報と出力オーダ情報の少なくとも１つは、前記少なくとも１つのピクチャが対応する少なくとも１つのビューから決定され、分離され、
前記エンコーダは、ビュー識別子に基づいて前記少なくとも１つのピクチャの前記コーディングオーダ情報と出力オーダ情報のうちの少なくとも１つを決定し、前記ビュー識別子は、前記結果として得られるビットストリームにおけるマクロブロックレベルよりも高いレベルに存在し、
前記符号化のステップは、デフォルトのリファレンスピクチャリストの構築プロセスおよびリファレンスピクチャリストのリオーダリングプロセスにおいて、再定義された変数を使用して、前記少なくとも２つのビューのうちの前記少なくとも１つを符号化し、
グループオブピクチャのレングスは、前記変数を再定義するために使用され、
前記エンコーダは、デコードされたリファレンスピクチャのマーキングプロセスによる使用のために、前記結果として得られるビットストリームにおいて前記ビュー識別子を含む、前記装置。
【請求項２】
マルチビュービデオ符号化のための方法であって、
マルチビュービデオコンテンツの少なくとも２つのビューのうちの少なくとも１つに対応する少なくとも１つのピクチャを符号化して、結果として得られるビットストリームを形成するステップを有し、
前記結果として得られるビットストリームでは、前記少なくとも１つのピクチャのコーディングオーダ情報と出力オーダ情報の少なくとも１つは、前記少なくとも１つのピクチャが対応する少なくとも１つのビューから決定され、分離され、
前記符号化のステップは、ビュー識別子に基づいて前記少なくとも１つのピクチャの前記コーディングオーダ情報と出力オーダ情報のうちの少なくとも１つを決定し、前記ビュー識別子は、前記結果として得られるビットストリームにおけるマクロブロックレベルよりも高いレベルに存在し、
前記符号化のステップは、デフォルトのリファレンスピクチャリストの構築プロセスおよびリファレンスピクチャリストのリオーダリングプロセスにおいて、再定義された変数を使用して、前記少なくとも２つのビューのうちの前記少なくとも１つを符号化し、
グループオブピクチャのレングスは、前記変数を再定義するために使用され、
前記符号化のステップは、デコードされたリファレンスピクチャのマーキングプロセスによる使用のために、前記結果として得られるビットストリームにおいて前記ビュー識別子を含む、前記方法。
【請求項３】
マルチビュービデオコンテンツに対応する少なくとも２つのビューのうちの少なくとも１つをデコードするステップを有する方法であって、
前記デコードするステップは、国際標準化機構／国際電気標準会議ＭＰＥＧ−４の第１０部  ＡＶＣ標準／ＩＴＵ−Ｔ  Ｈ．２６４勧告（International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendation）のデコードされたリファレンスピクチャのマーキングプロセスにおいて、再定義された変数を使用して前記少なくとも２つのビューのうちの少なくとも１つをデコードし、
グループオブピクチャのレングスは、前記変数を再定義するために使用される、方法。
【請求項４】
前記変数を再定義するために、複数のビューのうちの少なくとも１つおよびビュー識別子情報がさらに使用される、請求項３に記載の方法。
【請求項５】
前記変数を再定義するために、ビュー識別子情報がさらに使用される、請求項３に記載の方法。
【手続補正２】
【補正対象書類名】明細書
【補正対象項目名】０２０２
【補正方法】変更
【補正の内容】
【０２０２】
例示的な実施の形態は添付図面を参照して本明細書で記載されたが、本発明の原理は、これら正確な実施の形態に限定されるものではなく、様々な変形及び変更は、本発明の原理の範囲又は精神から逸脱することなしに、当業者により実施される場合があることを理解されたい。全ての係る変形及び変更は、特許請求の範囲で述べたように、本発明の原理の範囲に含まれることが意図される。
［付記１］
マルチビュービデオコンテンツの少なくとも２つのビューのうちの少なくとも１つに対応する少なくとも１つのピクチャを符号化して、結果として得られるビットストリームを形成するエンコーダを有する装置であって、
前記結果として得られるビットストリームでは、前記少なくとも１つのピクチャの符号化順序の情報と出力順序の情報の少なくとも１つは、前記少なくとも１つのピクチャが対応する少なくとも１つのビューから分離される、
ことを特徴とする装置。
［付記２］
前記エンコーダは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する少なくとも１つの既存のシンタックスエレメントを使用して、前記少なくとも１つのピクチャの符号化順序の情報と出力順序の情報の少なくとも１つを分離する、
付記１記載の装置。
［付記３］
前記エンコーダは、ビュー識別子を使用して前記少なくとも１つのピクチャの符号化順序の情報と出力順序の情報の少なくとも１つを分離する、
付記１記載の装置。
［付記４］
前記ビュー識別子は、前記結果として得られるビットストリームにおけるスライスレベルに存在する、
付記３記載の装置。
［付記５］
前記ビュー識別子は、前記結果として得られるビットストリームにおけるマクロブロックよりも高いレベルに存在する、
付記３記載の装置。
［付記６］
前記エンコーダは、デコードされたリファレンスピクチャのマーキングプロセスによる使用のために、前記結果として得られるビットストリームに前記ビュー識別子を含む、
付記５記載の装置。
［付記７］
前記エンコーダは、前記デコードされたリファレンスピクチャのマーキングプロセスによりマークされるべき特定のピクチャが前記少なくとも２つのビューのうちのどちらに属するかを示すため、前記結果として得られるビットストリームに前記ビュー識別子を含む、
付記６記載の装置。
［付記８］
前記エンコーダは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する再定義されたデコードされたリファレンスピクチャのマーキングプロセスでの使用のために再定義される少なくとも１つの既存のシンタックスエレメントの意味をもつ少なくとも１つの既存のシンタックスエレメントを使用して、前記再定義されたデコードされたリファレンスピクチャのマーキングプロセスにおける前記ビュー識別子の使用をサポートする、
付記３記載の装置。
［付記９］
前記再定義されたデコードされたリファレンスピクチャのマーキングプロセスでは、現在デコードされているピクチャと同じビュー識別子をもつピクチャのみがマークされる、付記８記載の装置。
［付記１０］
スライディングウィンドウによるデコードされたリファレンスピクチャのマーキングプロセス及び適応メモリ制御によるデコードされたリファレンスピクチャのマーキングプロセスの少なくとも１つが利用される、
付記８記載の装置。
［付記１１］
前記再定義されたデコードされたリファレンスピクチャのマーキングプロセスでは、前記少なくとも１つのピクチャのビュー識別子とは異なるビュー識別子を有するピクチャは、以前に使用されていないシンタックスエレメントを使用してマークされる、
付記８記載の装置。
［付記１２］
前記エンコーダは、デフォルトのリファレンスピクチャリストの構築のために、前記結果として得られるビットストリームに前記ビュー識別子を含む、
付記３記載の装置。
［付記１３］
インタービューリファレンスピクチャは、少なくとも１つの既存のシンタックスエレメント、既存のセマンティクス、及び、ビュー識別子からの更なるサポートによるリファレンスピクチャリストの構築のための既存の復号化プロセス、既存のシンタックス、既存のセマンティクス、及び、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存の復号化プロセスに従って、前記リファレンスピクチャリストの構築に対応するデフォルトのリファレンスピクチャリストの作成プロセスのためにリファレンスリストに追加されるのを禁止される、
付記１２記載の装置。
［付記１４］
ビュー識別子からの更なるサポートによるデフォルトのリファレンスピクチャリストの構築のための少なくとも１つの既存のシンタックスエレメントに従って、前記リファレンスピクチャリストの構築に対応するデフォルトのリファレンスピクチャリストの作成プロセスのためのリファレンスリストに、インタービューリファレンスピクチャのみが追加される、
付記１２記載の装置。
［付記１５］
インタービューリファレンスピクチャは、テンポラルリファレンスの後に追加される、付記１４記載の装置。
［付記１６］
前記エンコーダは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する再定義されたリファレンスピクチャリストのリオーダリングプロセスにおける使用のために再定義される少なくとも１つの既存のシンタックスエレメントを使用して、前記再定義されたリファレンスピクチャリストのリオーダリングプロセスにおける前記ビュー識別子の使用をサポートする、
付記３記載の装置。
［付記１７］
前記再定義されたリファレンスピクチャリストのリオーダリングプロセスでは、現在復号化されたピクチャと同じビュー識別子をもつピクチャのみが再び順序付けされる、付記１６記載の装置。
［付記１８］
前記ビュー識別子は、前記少なくとも２つのビューのうちのどちらが、対応するリファレンスピクチャリストにおける現在のインデックスに移動されるべき特定のピクチャに対応するかを示す、
付記１７記載の装置。
［付記１９］
前記ビュー識別子は、順序付けされるべきリファレンスピクチャのビュー識別子が前記少なくとも１つのピクチャのビュー識別子と異なるときにのみ必要とされる、
付記１７記載の装置。
［付記２０］
前記エンコーダは、テンポラルダイレクトモードについて再定義される既存のシンタックスエレメント、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存のシンタックスを使用して、テンポラルダイレクトモードにおけるビュー識別子の使用をサポートする、
付記３記載の装置。
［付記２１］
前記テンポラルダイレクトモードは、ピクチャオーダカウント値及びビュー識別子の少なくとも１つに基づいて導出される、
付記２０記載の装置。
［付記２２］
前記エンコーダは、既存のシンタックスエレメント、既存のセマンティクス、及びテンポラルダイレクトモードのための既存の復号化プロセス、既存のシンタックス、既存のセマンティクス、及び、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存の復号化プロセスを使用する、
付記３記載の装置。
［付記２３］
前記エンコーダは、暗黙の重み付け予測のために再定義された既存のシンタックスエレメント、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存のシンタックスを使用して、暗黙の重み予測における前記ビュー識別子の使用をサポートする、
付記３記載の装置。
［付記２４］
前記暗黙の重み付け予測は、ピクチャオーダカウント値とビュー識別子の少なくとも１つに基づいて導出される、
付記２３記載の装置。
［付記２５］
前記エンコーダは、既存のシンタックスエレメント、既存のセマンティクス、及び、暗黙の重み付け予測のための既存の復号化プロセス、既存のシンタックス、既存のセマンティクス、及び、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存の復号化プロセスを使用する、付記３記載の装置。
［付記２６］
前記エンコーダは、特定のピクチャに対応する少なくとも２つのビューのうちの特定のビューを使用して、前記少なくとも２つのビューのうちの異なるビューの並列の符号化におけるビュー間の依存度を特定する、
付記１記載の装置。
［付記２７］
マルチビュービデオコンテンツの少なくとも２つのビューのうちの少なくとも１つに対応する少なくとも１つのピクチャを符号化して、結果として得られるビットストリームを形成するステップを含む方法であって、
前記結果として得られるビットストリームでは、前記少なくとも１つのピクチャの符号化順序の情報と出力順序の情報の少なくとも１つは、前記少なくとも１つのピクチャが対応する少なくとも１つのビューから分離される、
ことを特徴とする方法。
［付記２８］
前記符号化するステップは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する少なくとも１つの既存のシンタックスエレメントを使用して、前記少なくとも１つのピクチャの符号化順序の情報と出力順序の情報の少なくとも１つを分離する、
付記２７記載の方法。
［付記２９］
前記符号化するステップは、ビュー識別子を使用して前記少なくとも１つのピクチャの符号化順序の情報と出力順序の情報の少なくとも１つを分離する、
付記２７記載の方法。
［付記３０］
前記ビュー識別子は、前記結果として得られるビットストリームにおけるスライスレベルに存在する、
付記２９記載の方法。
［付記３１］
前記ビュー識別子は、前記結果として得られるビットストリームにおけるマクロブロックよりも高いレベルに存在する、
付記２９記載の方法。
［付記３２］
前記符号化するステップは、デコードされたリファレンスピクチャのマーキングプロセスによる使用のために、前記結果として得られるビットストリームに前記ビュー識別子を含む、
付記３１記載の方法。
［付記３３］
前記符号化するステップは、前記デコードされたリファレンスピクチャのマーキングプロセスによりマークされるべき特定のピクチャが前記少なくとも２つのビューのうちのどちらに属するかを示すため、前記結果として得られるビットストリームに前記ビュー識別子を含む、
付記３２記載の方法。
［付記３４］
前記符号化するステップは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する再定義されたデコードされたリファレンスピクチャのマーキングプロセスでの使用のために再定義される少なくとも１つの既存のシンタックスエレメントの意味をもつ少なくとも１つの既存のシンタックスエレメントを使用して、前記再定義されたデコードされたリファレンスピクチャのマーキングプロセスにおける前記ビュー識別子の使用をサポートする、
付記２９記載の方法。
［付記３５］
前記再定義されたデコードされたリファレンスピクチャのマーキングプロセスでは、現在デコードされたピクチャと同じビュー識別子をもつピクチャのみがマークされる、
付記３４記載の方法。
［付記３６］
スライディングウィンドウによるデコードされたリファレンスピクチャのマーキングプロセス及び適応メモリ制御によるデコードされたリファレンスピクチャのマーキングプロセスの少なくとも１つが利用される、
付記３４記載の方法。
［付記３７］
前記再定義されたデコードされたリファレンスピクチャのマーキングプロセスでは、前記少なくとも１つのピクチャのビュー識別子とは異なるビュー識別子を有するピクチャは、以前に使用されていないシンタックスエレメントを使用してマークされる、
付記３４記載の方法。
［付記３８］
前記符号化ステップは、デフォルトのリファレンスピクチャリストの構築のために、前記結果として得られるビットストリームに前記ビュー識別子を含む、
付記３１記載の方法。
［付記３９］
インタービューリファレンスピクチャは、前記リファレンスピクチャリストの構築のための少なくとも１つの既存のシンタックスエレメントに従って、前記リファレンスピクチャリストの構築に対応するデフォルトのリファレンスピクチャリストの作成プロセスのためにリファレンスリストに追加されるのを禁止される、
付記３８記載の方法。
［付記４０］
デフォルトのリファレンスピクチャリストの構築のための少なくとも１つの既存のシンタックスエレメントに従って、前記リファレンスピクチャリストの構築に対応するデフォルトのリファレンスピクチャリストの作成プロセスのため、インタービューリファレンスピクチャのみがリファレンスリストに追加される、
付記３８記載の方法。
［付記４１］
前記インタービューリファレンスピクチャは、テンポラルリファレンスの後に追加される、
付記４０記載の方法。
［付記４２］
前記符号化するステップは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する再定義されたリファレンスピクチャリストのリオーダリングプロセスにおける使用のために再定義される少なくとも１つの既存のシンタックスエレメントを使用して、前記再定義されたリファレンスピクチャリストのリオーダリングプロセスにおける前記ビュー識別子の使用をサポートする、
付記２９記載の方法。
［付記４３］
前記再定義されたリファレンスピクチャリストのリオーダリングプロセスでは、現在復号化されたピクチャと同じビュー識別子をもつピクチャのみが再び順序付けされる、
付記４２記載の方法。
［付記４４］
前記ビュー識別子は、前記少なくとも２つのビューのうちのどちらが、対応するリファレンスピクチャリストにおける現在のインデックスに移動されるべき特定のピクチャに対応するかを示す、
付記４３記載の方法。
［付記４５］
前記ビュー識別子は、順序付けされるべきリファレンスピクチャのビュー識別子が前記少なくとも１つのピクチャのビュー識別子と異なるときにのみ必要とされる、
付記４３記載の方法。
［付記４６］
前記符号化するステップは、テンポラルダイレクトモードについて再定義される既存のシンタックスエレメント、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存のシンタックスを使用して、テンポラルダイレクトモードにおけるビュー識別子の使用をサポートする、
付記２９記載の方法。
［付記４７］
前記テンポラルダイレクトモードは、ピクチャオーダカウント値及びビュー識別子の少なくとも１つに基づいて導出される、
付記４６記載の方法。
［付記４８］
前記符号化するステップは、既存のシンタックスエレメント、既存のセマンティクス、及びテンポラルダイレクトモードのための既存の復号化プロセス、既存のシンタックス、既存のセマンティクス、及び、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存の復号化プロセスを使用する、
付記２９記載の方法。
［付記４９］
前記符号化するステップは、暗黙の重み付け予測のために再定義された既存のシンタックスエレメント、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存のシンタックスを使用して、暗黙の重み予測における前記ビュー識別子の使用をサポートする、
付記２９記載の方法。
［付記５０］
前記暗黙の重み付け予測は、ピクチャオーダカウント値とビュー識別子の少なくとも１つに基づいて導出される、
付記４９記載の方法。
［付記５１］
前記符号化するステップは、既存のシンタックスエレメント、既存のセマンティクス、及び、暗黙の重み付け予測のための既存の復号化プロセス、既存のシンタックス、既存のセマンティクス、及び、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応する既存の復号化プロセスを使用する、
付記２９記載の方法。
［付記５２］
前記符号化するステップは、特定のピクチャに対応する少なくとも２つのビューのうちの特定のビューを使用して、前記少なくとも２つのビューのうちの異なるビューの並列の符号化におけるビュー間の依存度を特定する、
付記２７記載の方法。
［付記５３］
結果として得られるビットストリームを形成するために符号化されるマルチビュービデオコンテンツの少なくとも２つのビューのうちの少なくとも１つに対応する少なくとも１つのピクチャを含むビデオ符号化のためのビデオ信号構造であって、
前記結果として得られるビットストリームでは、前記少なくとも１つのピクチャの符号化順序の情報と出力順序の情報の少なくとも１つは、前記少なくとも１つのピクチャが対応する少なくとも１つのビューから分離される、
ことを特徴とするビデオ信号構造。
［付記５４］
結果として得られるビットストリームを形成するために符号化されるマルチビュービデオコンテンツの少なくとも２つのビューのうちの少なくとも１つに対応する少なくとも１つのピクチャを含む符号化されたビデオ信号データを有する記録媒体であって、
前記結果として得られるビットストリームでは、前記少なくとも１つのピクチャの符号化順序の情報と出力順序の情報の少なくとも１つは、前記少なくとも１つのピクチャが対応する少なくとも１つのビューから分離される、
ことを特徴とする記録媒体。
［付記５５］
マルチビュービデオコンテンツに対応する少なくとも２つのビューのうちの少なくとも１つを符号化するエンコーダを有する装置であって、
前記エンコーダは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応するデフォルトのリファレンスピクチャリストの構築プロセス及びリファレンスピクチャリストのリオーダリングにおいて再定義された変数を使用して、前記少なくとも２つのビューのうちの少なくとも１つを符号化する、
ことを特徴とする装置。
［付記５６］
ビューの数及びビュー識別情報の少なくとも１つは、前記変数を再定義するために使用される、
付記５５記載の装置。
［付記５７］
グループオブピクチャ及びビュー識別情報の少なくとも１つは、前記変数を再定義するために使用される、
付記５５記載の装置。
［付記５８］
マルチビュービデオコンテンツに対応する少なくとも２つのビューのうちの少なくとも１つを符号化するエンコーダを有する装置であって、
前記エンコーダは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationのデコードされたリファレンスピクチャのマーキングプロセスにおいて再定義された変数を使用して、前記少なくとも２つのビューのうちの少なくとも１つを符号化する、
ことを特徴とする装置。
［付記５９］
ビューの数及びビュー識別情報のうちの少なくとも１つは、前記変数を再定義するために使用される、
付記５８記載の装置。
［付記６０］
グループオブピクチャのレングス及びビュー識別情報の少なくとも１つは、前記変数を再定義するために使用される、
付記５８記載の装置。
［付記６１］
マルチビュービデオコンテンツに対応する少なくとも２つのビューのうちの少なくとも１つを符号化するステップを含む方法であって、
前記符号化するステップは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応するデフォルトのリファレンスピクチャリストの構築プロセス及びリファレンスピクチャリストのリオーダリングにおいて再定義された変数を使用して、前記少なくとも２つのビューのうちの少なくとも１つを符号化する、
ことを特徴とする方法。
［付記６２］
ビューの数及びビュー識別情報の少なくとも１つは、前記変数を再定義するために使用される、
付記６１記載の方法。
［付記６３］
グループオブピクチャのレングス及びビュー識別情報の少なくとも１つは、前記変数を再定義するために使用される、
付記６１記載の方法。
［付記６４］
マルチビュービデオコンテンツに対応する少なくとも２つのビューのうちの少なくとも１つを符号化するステップを含む方法であって、
前記符号化するステップは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationのデコードされたリファレンスピクチャのマーキングプロセスにおいて再定義された変数を使用して前記少なくとも２つのビューのうちの少なくとも１つを符号化する、
ことを特徴とする方法。
［付記６５］
ビューの数及びビュー識別情報の少なくとも１つは、前記変数を再定義するために使用される、
付記６４記載の方法。
［付記６６］
グループオブピクチャのレングス及びビュー識別情報の少なくとも１つは、前記変数を再定義するために使用される、
付記６４記載の方法。
［付記６７］
マルチビュービデオコンテンツに対応する少なくとも２つのビューのうちの少なくとも１つを含むビデオ符号化のためのビデオ信号構造であって、
前記少なくとも２つのビューのうちの少なくとも１つは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応するデフォルトのリファレンスピクチャリストの構築プロセス及びリファレンスピクチャリストのリオーダリングにおいて再定義された変数を使用して符号化される、
ことを特徴とするビデオ信号構造。
［付記６８］
マルチビュービデオコンテンツに対応する少なくとも２つのビューのうちの少なくとも１つを含む、符号化されたビデオ信号データを有する記録媒体であって、
前記少なくとも２つのビューのうちの少なくとも１つは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationに対応するデフォルトのリファレンスピクチャリストの構築プロセス及びリファレンスピクチャリストのリオーダリングにおいて再定義された変数を使用して符号化される、
ことを特徴とする記録媒体。
［付記６９］
マルチビュービデオコンテンツに対応する少なくとも２つのビューのうちの少なくとも１つを含むビデオ符号化のためのビデオ信号構造であって、
前記少なくとも２つのビューのうちの少なくとも１つは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationのデコードされたリファレンスピクチャのマーキングプロセスにおいて再定義された変数を使用して符号化される、
ことを特徴とするビデオ信号構造。
［付記７０］
マルチビュービデオコンテンツに対応する少なくとも２つのビューのうちの少なくとも１つを含む、符号化されたビデオ信号データを有する記録媒体であって、
前記少なくとも２つのビューのうちの少なくとも１つは、International  Organization  for  Standardization/International  Electrotechnical  Commission  Moving  Picture  Experts  Group-4  Part  10  Advanced  Video  Coding  Standard/International  Telecommunication  Union,  Telecommunication  Sector  H.264  recommendationのデコードされたリファレンスピクチャのマーキングプロセスにおいて再定義された変数を使用して符号化される、
ことを特徴とする記録媒体。